(57)【要約】【課題】本発明はバッチ式の吸着式除湿機でありながら、吸着ゾーンと脱着ゾーンとの面積比を自由に設定でき、使用条件に合わせて最も適切に設計することができ、除湿能率の良い吸着式除湿機を提供しようとするものである。【解決手段】本発明は以上のような課題を解決するため、吸着ゾーン１５と脱着ゾーン１６の間を移動する複数のハニカムブロック１１を設け、複数のハニカムブロック１１はそれぞれスライドケース内に移動可能に収納され、スライドケースも２つのゾーン間を移動するようにした。これによってバッチ式でもゾーン比を自由に設定可能にした。【選択図】  図１
2006334481.tif 000002
【特許請求の範囲】
【請求項１】
一方のゾーンを吸着ゾーンとし他方のゾーンを脱着ゾーンとし、前記２つのゾーン間を移動する複数のハニカムブロックを設け、複数のハニカムブロックはそれぞれスライドケース内に移動可能に収納され、前記スライドケースも前記２つのゾーン間を移動するようにした吸着式除湿機。  
【請求項２】
１つのハニカムブロックに対して複数のスライドケースを設け、複数のスライドケースは一方が他方の中で移動可能に収納されている請求項１記載の吸着式除湿機。  
【請求項３】
複数のハニカムブロック及びスライドケースは何れのゾーンに位置しても互いに一部が接しているようにした請求項１記載の吸着式除湿機。
【発明の詳細な説明】
【技術分野】
【０００１】
本発明は、たとえばシリカゲルやゼオライトなどの湿気吸着剤を用いた吸着式除湿機に関するもので、特に小型可能なものを提供するものである。
【背景技術】
【０００２】
吸着式除湿機は湿気吸着剤を用いることによって乾燥空気をつくるもので、冷凍式の除湿機と比較して低露点の空気をつくることができる。また湿気吸着剤の脱着に内燃機関などの廃熱を用いることができ、このような場合には省エネルギー効果が高くなるため急速に普及している。
【０００３】
現在普及している一般的な吸着式除湿機は、ロータ式のものとバッチ式のものとがある。つまりロータ式のものは湿気吸着剤を担持したハニカム状ロータを吸着ゾーンと脱着ゾーンとに分割し、ロータを回転させながら吸着ゾーンに被処理空気を流し、脱着ゾーンに高温の脱着空気を流すことによって連続的に除湿を行うことができる。
【０００４】
バッチ式のものは、湿気吸着剤を担持したハニカムブロックに被処理空気を流し乾燥空気をつくり、湿気吸着剤が十分に湿気を吸着すると、そのハニカムブロックに高温の脱着空気を流すという交互動作を行うものである。
【０００５】
ロータ式のものは連続的に動作する点や、エネルギー効率が高い点やあるいは乾燥空気の露点を低くできる利点がある。しかし、円板状のロータを有するため、一般的な方形のケースに収める場合には方形中に円形の物を収納することになり、無駄な部分ができ小型化が困難であるという問題がある。
【０００６】
バッチ式のものは、ハニカムブロックを方形にすることができるため、方形の容器にも無駄なく収納可能であるが、吸着と脱着とを交互に行うためハニカムブロックを収納する部分や空気通路の熱容量によってエネルギーの無駄を生じ、また乾燥空気の露点を下げることが困難である。さらに吸着と脱着の空気量の比を１：１に限定しなければならない。
【０００７】
このような吸着式除湿機はより効率の高いものの開発が求められている。このような技術として例えば特許文献１に開示されたものがある。
【特許文献１】特許出願公開平成９年第３１８１２７号公報
【発明の開示】
【発明が解決しようとする課題】
【０００８】
特許文献１に開示されたものは冷凍サイクルを用いてバッチ式の吸着式除湿機の効率を上げようとしたものである。しかし特許文献１に記載のものは、冷凍サイクルが必須である。さらに湿気吸着素子が脱着工程から吸着工程に移行した直後は湿気吸着素子の後の空気通路内の湿度が高く、また空気通路の壁面に水分が付着しているため、吸着工程に移行した直後は湿度が下がらないという問題がある。
【０００９】
このような問題点を解消するために本出願人は特願２００５−１３３１８８号でバッチ式でありながら２つの除湿素子を交互に吸着・脱着動作させ連続的に除湿を効率的に行うものを提案した。本発明は上記出願の発明をさらに発展させ、３つ以上の吸着素子で連続的に除湿動作が可能な吸着式除湿機を提供しようとするものである。
【課題を解決するための手段】
【００１０】
本件発明は以上のような課題を解決するため、吸着ゾーンと脱着ゾーンの間を移動する複数のハニカムブロックを設け、複数のハニカムブロックはそれぞれスライドケース内に移動可能に収納され、スライドケースも２つのゾーン間を移動するようにした。
【発明の効果】
【００１１】
本発明の吸着式除湿機は上記の如く構成したので、バッチ式の吸着式除湿機でありながら、吸着ゾーンと脱着ゾーンとの面積比を自由に設定でき、使用条件に合わせて最も適切に設計することができ、除湿能率の良い吸着式除湿機を提供することができる。
【００１２】
またバッチ式の吸着式除湿機であるため、吸着素子として方形の吸着ブロックを用いることができ、ロータ式の吸着素子のように円盤状の吸着素子を収納することが不可能あるいは不適切な場合にも実現が可能である。
【発明を実施するための最良の形態】
【００１３】
本発明の請求項１に記載の発明は、一方のゾーンを吸着ゾーンとし他方のゾーンを脱着ゾーンとし、前記２つのゾーン間を移動する複数のハニカムブロックを設け、複数のハニカムブロックはそれぞれスライドケース内に移動可能に収納され、前記スライドケースも前記２つのゾーン間を移動するようにしたため、バッチ式の吸着式除湿機でありながら、ゾーン比を自由に設定でき、除湿能率を高くすることができるという作用を有する。
【実施例】
【００１４】
以下本発明の吸着式除湿機の実施例について図に沿って詳細に説明する。ハニカムブロック１，２は、それぞれセラミック繊維紙やガラス繊維紙などの不燃性の紙をハニカム（蜂の巣）状に形成し、それにシリカゲルやゼオライトなどの湿気吸着剤を担持したものである。
【００１５】
またハニカムブロック１，２，３，４は、図３に示すようにそれぞれ両側面に一対の突起５，６を有している。この突起５，６がスライドケース７，８の側面に設けた溝９，１０に嵌ってハニカムブロック１，２，３，４をガイドし、これによってハニカムブロック１，２，３，４は上下にスライド可能となる。
【００１６】
スライドケース７は内寸幅がハニカムブロック１，２，３，４の外寸幅と同一であり、スライドケース７の内寸高さはハニカムブロック１，２，３，４の外寸高さの２倍よりやや小さい。ハニカムブロック１，２，３，４はスライドケース７の内壁に密着して上下移動可能である。
【００１７】
スライドケース８の内寸幅はスライドケース７の外寸幅と同じであり、スライドケース７の内寸高さはハニカムブロック１，２，３，４の外寸高さの３倍よりやや小さい。スライドケース７はスライドケース８内で、スライドケース８の内壁に密着して上下に移動可能である。以上説明のものを以下ハニカム・ユニット１１，１２，１３，１４と言う。
【００１８】
以上の構成のハニカム・ユニット１１，１２，１３，１４を図１に示すように４つ並べる。さらに吸着ゾーン１５及び脱着ゾーン１６を形成し、それぞれのゾーンに空気を送る被処理空気ブロア１７及び脱着空気ブロア１８及び脱着ゾーン１６内にヒータ１９を設ける。
【００１９】
図１の状態ではハニカム・ユニット１１〜ハニカム・ユニット１３が吸着ゾーン１５内に位置し、ハニカム・ユニット１４の一部が脱着ゾーン１６に位置する。そしてハニカム・ユニット１１，１２のスライドケース７はスライドケース８の中で下がった状態であり、ハニカム・ユニット１３，１４のスライドケース７はスライドケース８の中で上がった状態である。
【００２０】
さらにハニカム・ユニット１１のハニカムブロック１はスライドケース７の中で下がった位置にあり、ハニカム・ユニット１２のハニカムブロック２はスライドケース７の中で上がった位置にある。
【００２１】
ハニカム・ユニット１３のハニカムブロック３はスライドケース７の中で下がった位置にあり、ハニカム・ユニット１４のハニカムブロック４はスライドケース７の中で上がった位置にある。
【００２２】
これによってハニカムブロック１，２，３は吸着ゾーン１５内に位置し、ハニカムブロック４は脱着ゾーン１６に位置する。つまりハニカムブロック１，２，３は被処理空気ブロア１７で送られる空気中の湿気を吸着し、乾燥空気をつくる。一方ハニカムブロック４は脱着空気ブロア１８から送られヒータ１９によって加熱された空気によって湿分が脱着される。
【００２３】
図２の状態ではハニカム・ユニット１１のスライドケース７はスライドケース８内部で下に下がった状態であり、ハニカムブロック１はスライドケース７内で上に上がった状態である。
【００２４】
ハニカム・ユニット１２のスライドケース７及びハニカムブロック２共、上に上がった状態であり、ハニカム・ユニット１４のスライドケース７及びハニカムブロック２共、下に下がった状態である。これによってハニカムブロック１，２，４が吸着ゾーン１５内に位置した状態となる。
【００２５】
ハニカム・ユニット１３のスライドケース７、スライドケース８及びハニカムブロック３共上に上がった状態であり、ハニカムブロック３は脱着ゾーン１６内に位置する。
【００２６】
図３の状態ではハニカム・ユニット１１のスライドケース７及びハニカムブロック１共上に上がった状態であり、ハニカム・ユニット１３のスライドケース７及びハニカムブロック３共、下に下がった状態である。またハニカム・ユニット１４のスライドケース７はスライドケース８内部で下に下がった状態であり、ハニカムブロック４はスライドケース７内で上に上がった状態である。
【００２７】
これによってハニカムブロック１，３，４が吸着ゾーン１５内に位置した状態となる。そしてハニカム・ユニット１２のスライドケース７、スライドケース８及びハニカムブロック２共上に上がった状態であり、ハニカムブロック２は脱着ゾーン１６内に位置する。
【００２８】
図４の状態ではハニカム・ユニット１２のスライドケース７及びハニカムブロック２共、下に下がった状態である。ハニカム・ユニット１３のスライドケース７はスライドケース８内部で下に下がった状態であり、ハニカムブロック３はスライドケース７内で上に上がった状態である。またハニカム・ユニット１１のスライドケース７及びハニカムブロック１共上に上がった状態である。
【００２９】
これによってハニカムブロック２，３，４が吸着ゾーン１５内に位置した状態となる。そしてハニカム・ユニット１１のスライドケース７、スライドケース８及びハニカムブロック１共上に上がった状態であり、ハニカムブロック１は脱着ゾーン１６内に位置する。
【００３０】
以上の各図で表す動作中、各ハニカム・ユニット１１〜１４はスライドケース７及び８によって吸着ゾーン１５と脱着ゾーン１６との間で空気の混合が発生しない。無論、ハニカムブロック１〜４が移動する際に空気の混合が発生するが、例えば脱着に要する時間１分に対してハニカムブロック１〜４が移動するのに必要な時間は数分の１秒にすることが可能であり、移動の際の空気の混合は無視できる程度である。
【００３１】
さらに各ハニカム・ユニット１１〜１４はスライドケース７及び８によって空気通路が確保され、各ハニカム・ユニット１１〜１４を通過した空気は確保された空気通路から洩れることなく通過する。このために、各ハニカムブロック１〜４、スライドケース７及びスライドケース８は、どの固定位置にあっても端部が重なり合う。
【００３２】
次に各ハニカム・ユニット１１〜１４のスライドケース７，８及びハニカムブロック１〜４を上下に移動させる手段について説明する。各ハニカム・ユニット１１〜１４の各ハニカムブロック１〜４には図５に示すように、それぞれ両側面に一対の突起５，６を有している。この突起５，６がスライドケース７，８の側面に設けた溝９，１０に嵌ってハニカムブロック１，２，３，４をガイドし、これによってハニカムブロック１，２，３，４は上下にスライド可能となる。
【００３３】
図５の状態即ちスライドケース７もハニカムブロック１〜４も下に下がった状態は、図１のハニカム・ユニット１１、図２のハニカム・ユニット１４、図３のハニカム・ユニット１３、図４のハニカム・ユニット１２の状態である。
【００３４】
一対の突起５，６を上に引き上げると、ハニカムブロック１〜４はスライドケース７内を上昇する。そしてスライドケース７の天井に当たる。この状態は図１のハニカム・ユニット１２、図２のハニカム・ユニット１１、図３のハニカム・ユニット１４、図４のハニカム・ユニット１３の状態である。
【００３５】
さらに一対の突起５，６を引き上げると、ハニカムブロック１〜４はスライドケース７の天井に当った状態でスライドケース７を持ち上げる。するとスライドケース７の上端がスライドケース８の天井に当たる。この状態は、図１のハニカム・ユニット１３、図２のハニカム・ユニット１２、図３のハニカム・ユニット１１、図４のハニカム・ユニット１４の状態である。
【００３６】
ここでさらに一対の突起５，６を引き上げると、ハニカムブロック１〜４はスライドケース７の天井に当るとともに、スライドケース７がスライドケース８の天井に当たった状態でスライドケースが脱着ゾーン１６まで持ち上げられる。この状態は図１のハニカム・ユニット１４、図２のハニカム・ユニット１３、図３のハニカム・ユニット１２、図４のハニカム・ユニット１１の状態である。
【００３７】
一対の突起５，６はモータ（図示せず）で巻き上げられるロープや、モータで駆動されるピニオンギヤ（図示せず）と噛み合うラックギヤ（図示せず）あるいはその他のリニア駆動装置で上下動させることが可能である。これらの機構は一般的であるので、詳細な説明は省略する。
【００３８】
本発明の吸着式除湿機は図１の状態から、図２〜図４の状態へと例えば１分毎に状態を変化させ、再び図１の状態へと戻るようにする。これによって被処理空気ブロア１７から吸着ゾーン１５に送られた被処理空気はハニカムブロック１〜４の何れか３個によって湿気が吸着され乾燥空気となる。
【００３９】
一方、ハニカムブロック１〜４の何れか１個は脱着空気ブロア１８によって送られ、ヒータ１９によって加熱された空気によって湿気が脱着され、再度の吸着に備える。
【産業上の利用可能性】
【００４０】
本発明は、小型で連続的に動作することができ、さらに高性能な吸着式除湿機を提供する。
【図面の簡単な説明】
【００４１】
【図１】本発明の吸着式除湿機の実施例を示す断面図である。
【図２】本発明の吸着式除湿機の実施例を示す断面図である。
【図３】本発明の吸着式除湿機の実施例を示す断面図である。
【図４】本発明の吸着式除湿機の実施例を示す断面図である。
【図５】本発明の吸着式除湿機の実施例の一部を示す斜視図である。
【符号の説明】
【００４２】
１，２，３，４       
ハニカムブロック
５，６  突起
７，８       
スライドケース
９，１０  溝
１１，１２，１３，１４  ハニカム・ユニット
１５  吸着ゾーン
１６  脱着ゾーン
１７  被処理空気ブロア
１８  脱着空気ブロア
１９  ヒータ
【図１】
2006334481.tif 000003
【図２】
2006334481.tif 000004
【図３】
2006334481.tif 000005
【図４】
2006334481.tif 000006
【図５】
2006334481.tif 000007